【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
自動車エンジンに使用するのに適した、下記の成分の混合物を含む潤滑油組成物であって、該潤滑油組成物の全質量に基づき、硫黄分が０．３質量％以下、リン分が０．０９質量％以下、そして硫酸灰分が１．６質量％以下である潤滑油組成物：
（ａ）主要量の一種以上のフィッシャー・トロプシュ合成基油、
（ｂ）一種以上の無灰分散剤、
（ｃ）一種以上の金属含有清浄剤、
（ｄ）一種以上の耐摩耗性添加剤、および
（ｅ）一種以上の酸化防止剤。
【請求項２】
さらに、摩擦緩和剤、腐食防止剤、粘度指数向上剤、消泡剤、シール固定剤、流動点降下剤および多機能添加剤から選ばれる一種以上の添加剤を含む請求項１に記載の組成物。
【請求項３】
さらに一種以上の非フィッシャー・トロプシュ合成基油を、潤滑油組成物の熱安定性に悪影響を及ぼさない条件で含む請求項１に記載の組成物。
【請求項４】
組成物の硫黄分が、該組成物の全質量に基づき０．２質量％以下である請求項１に記載の組成物。
【請求項５】
組成物の硫黄分が、該組成物の全質量に基づき０．１質量％以下である請求項４に記載の組成物。
【請求項６】
組成物のリン分が、該組成物の全質量に基づき０．０８質量％以下である請求項１に記載の組成物。
【請求項７】
組成物のリン分が、該組成物の全質量に基づき０．０７質量％以下である請求項６に記載の組成物。
【請求項８】
組成物のリン分が、該組成物の全質量に基づき０．０５質量％以下である請求項７に記載の組成物。
【請求項９】
組成物の硫酸灰分が、該組成物の全質量に基づき１．０質量％以下である請求項１に記載の組成物。
【請求項１０】
組成物の硫酸灰分が、該組成物の全質量に基づき０．８質量％以下である請求項９に記載の組成物。
【請求項１１】
組成物の硫酸灰分が、該組成物の全質量に基づき０．５質量％以下である請求項１０に記載の組成物。
【請求項１２】
組成物の硫酸灰分が、該組成物の全質量に基づき０．４５質量％以下である請求項１１に記載の組成物。
【請求項１３】
一種以上のフィッシャー・トロプシュ合成基油の量が、該組成物の全質量に基づき６０質量％より多い請求項１に記載の組成物。
【請求項１４】
一種以上のフィッシャー・トロプシュ合成基油の量が、該組成物の全質量に基づき７０質量％より多い請求項１３に記載の組成物。
【請求項１５】
各フィッシャー・トロプシュ合成基油の動粘度が１００℃で２ｃＳｔ以上である請求項１に記載の組成物。
【請求項１６】
各フィッシャー・トロプシュ合成基油の動粘度が１００℃で４ｃＳｔ以上である請求項１５に記載の組成物。
【請求項１７】
各フィッシャー・トロプシュ合成基油の粘度指数が１００以上である請求項１に記載の組成物。
【請求項１８】
各フィッシャー・トロプシュ合成基油の流動点が２０℃以下である請求項１に記載の組成物。
【請求項１９】
各フィッシャー・トロプシュ合成基油の流動点が−８℃以下である請求項１８に記載の組成物。
【請求項２０】
各フィッシャー・トロプシュ合成基油の曇り点が２℃以下である請求項１に記載の組成物。
【請求項２１】
各フィッシャー・トロプシュ合成基油が、炭素１００個当りのアルキル分枝が１２個未満のパラフィン系炭化水素成分を含有する請求項１に記載の組成物。
【請求項２２】
各フィッシャー・トロプシュ合成基油が、炭素１００個当りのアルキル分枝が１０個未満のパラフィン系炭化水素成分を含有する請求項２１に記載の組成物。
【請求項２３】
標準酸化ＢＮ試験条件にて油１００グラム当り酸素１リットルを吸収するのに、７時間より多く要する請求項１に記載の組成物。
【請求項２４】
一種以上の金属含有清浄剤が、硫化フェネート清浄剤、スルホネート清浄剤、サリチレート清浄剤およびステアレート清浄剤から選ばれる請求項１に記載の組成物。
【請求項２５】
一種以上の金属含有清浄剤の量が０．０５乃至１６ｍＭである請求項１に記載の組成物。
【請求項２６】
一種以上の無灰分散剤のうちの一種がビスコハク酸イミドである請求項１に記載の組成物。
【請求項２７】
ビスコハク酸イミド無灰分散剤が、一種以上のポリイソブチレンコハク酸無水物から誘導されたものである請求項２６に記載の組成物。
【請求項２８】
一種以上の無灰分散剤の量が０．５質量％乃至１０質量％である請求項１に記載の組成物。
【請求項２９】
一種以上の酸化防止剤のうちの一種がジフェニルアミンである請求項１に記載の組成物。
【請求項３０】
一種以上の酸化防止剤の量が０．０５質量％乃至５．００質量％である請求項１に記載の組成物。
【請求項３１】
一種以上の耐摩耗性添加剤のうちの一種がジヒドロカルビルジチオリン酸金属塩である請求項１に記載の組成物。
【請求項３２】
ジヒドロカルビルジチオリン酸金属塩がジアルキルジチオリン酸亜鉛である請求項３１に記載の組成物。
【請求項３３】
一種以上の耐摩耗性添加剤が、０．０３乃至０．０７５質量％のリン分を組成物に与える請求項１に記載の組成物。
【請求項３４】
一種以上の無灰分散剤が、０．０８乃至０．１２質量％の窒素分を組成物に与える請求項１に記載の組成物。
【請求項３５】
金属含有清浄剤が過塩基性カルシウム清浄剤である請求項１に記載の組成物。
【請求項３６】
一種以上の摩擦緩和剤のうちの一種がモリブデンコハク酸イミド錯体である請求項２に記載の組成物。
【請求項３７】
一種以上の摩擦緩和剤の量が０．１５質量％乃至０．５５質量％である請求項２に記載の組成物。
【請求項３８】
一種以上のさび止め添加剤のうちの一種がステアリン酸カルシウム塩である請求項２に記載の組成物。
【請求項３９】
一種以上の消泡剤のうちの一種がシリコン系消泡剤である請求項２に記載の組成物。
【請求項４０】
自動車エンジンの高温での性能を改善する方法であって、下記の成分を含む低リン、低硫黄及び低硫酸灰分の潤滑油組成物を用いて、エンジンを作動させることからなる方法：
（ａ）主要量の一種以上のフィッシャー・トロプシュ合成基油、
（ｂ）一種以上の無灰分散剤、
（ｃ）一種以上の金属含有清浄剤、
（ｄ）一種以上の酸化防止剤、および
（ｅ）一種以上の耐摩耗性添加剤、
ただし、該低リン、低硫黄及び低硫酸灰分の潤滑油組成物は、該組成物の全質量に基づき硫黄分が０．３質量％以下、リン分が０．０９質量％以下、そして硫酸灰分が１．６質量％以下である。
【請求項４１】
低リン、低硫黄及び低硫酸灰分の潤滑油組成物が更に、摩擦緩和剤、腐食防止剤、流動点降下剤、粘度指数調整剤、消泡剤、シール固定剤および多機能添加剤から選ばれる一種以上の添加剤を含む請求項４０に記載の方法。
【請求項４２】
低リン、低硫黄及び低硫酸灰分の潤滑油組成物の硫黄分が、０．２質量％以下である請求項４０に記載の方法。
【請求項４３】
低リン、低硫黄及び低硫酸灰分の潤滑油組成物の硫黄分が、０．１質量％以下である請求項４２に記載の方法。
【請求項４４】
低リン、低硫黄及び低硫酸灰分の潤滑油組成物のリン分が、０．０８質量％以下である請求項４０に記載の方法。
【請求項４５】
低リン、低硫黄及び低硫酸灰分の潤滑油組成物のリン分が、０．０７質量％以下である請求項４４に記載の方法。
【請求項４６】
低リン、低硫黄及び低硫酸灰分の潤滑油組成物のリン分が、０．０５質量％以下である請求項４５に記載の方法。
【請求項４７】
低リン、低硫黄及び低硫酸灰分の潤滑油組成物の硫酸灰分が、１．０質量％以下である請求項４０に記載の方法。
【請求項４８】
低リン、低硫黄及び低硫酸灰分の潤滑油組成物の硫酸灰分が、０．８質量％以下である請求項４７に記載の方法。
【請求項４９】
低リン、低硫黄及び低硫酸灰分の潤滑油組成物の硫酸灰分が、０．５質量％以下である請求項４８に記載の方法。
【請求項５０】
低リン、低硫黄及び低硫酸灰分の潤滑油組成物の硫酸灰分が、０．４５質量％以下である請求項４９に記載の方法。
【請求項５１】
一種以上のフィッシャー・トロプシュ合成基油の量が、潤滑油組成物の全質量に基づき６０質量％又はそれ以上である請求項４０に記載の方法。
【請求項５２】
一種以上のフィッシャー・トロプシュ合成基油の量が、潤滑油組成物の全質量に基づき７０質量％又はそれ以上である請求項５１に記載の方法。
【請求項５３】
後処理装置を備える自動車エンジンを作動させる方法であって、該エンジンの潤滑に請求項１に記載の潤滑油組成物を用いる方法。
【請求項５４】
該自動車エンジンが、（１）軽負荷ディーゼル燃料自動車エンジン、（２）高負荷ディーゼル燃料自動車エンジン、および（３）ガソリン燃料自動車エンジンから選ばれる請求項５３に記載の方法。
【請求項５５】
該排ガス後処理装置が、微粒子捕集装置および触媒コンバータから選ばれた一台以上の装置である請求項５３に記載の方法。
【請求項５６】
下記の成分をブレンドすることからなる、硫黄分０．３質量％以下、リン分０．０９質量％以下そして硫酸灰分１．６質量％以下の潤滑油組成物の製造方法：
（ａ）主要量の一種以上のフィッシャー・トロプシュ合成基油、
（ｂ）一種以上の無灰分散剤、
（ｃ）一種以上の金属含有清浄剤、
（ｄ）一種以上の耐摩耗性添加剤、および
（ｅ）一種以上の酸化防止剤。
【請求項５７】
摩擦緩和剤、粘度指数調整剤、腐食防止剤、消泡剤、シール固定剤、流動点降下剤および多機能添加剤から選ばれた一種以上の添加剤を、該潤滑油組成物に更にブレンドする請求項５６に記載の方法。
【請求項５８】
低リン、低硫黄及び低硫酸灰分の潤滑油組成物の硫黄分が、０．２質量％以下である請求項５６に記載の方法。
【請求項５９】
低リン、低硫黄及び低硫酸灰分の潤滑油組成物の硫黄分が、０．１質量％以下である請求項５８に記載の方法。
【請求項６０】
低リン、低硫黄及び低硫酸灰分の潤滑油組成物のリン分が、０．０８質量％以下である請求項５６に記載の方法。
【請求項６１】
低リン、低硫黄及び低硫酸灰分の潤滑油組成物のリン分が、０．０７質量％以下である請求項６０に記載の方法。
【請求項６２】
低リン、低硫黄及び低硫酸灰分の潤滑油組成物のリン分が、０．０５質量％以下である請求項６１に記載の方法。
【請求項６３】
低リン、低硫黄及び低硫酸灰分の潤滑油組成物の硫酸灰分が、１．０質量％以下である請求項５６に記載の方法。
【請求項６４】
低リン、低硫黄及び低硫酸灰分の潤滑油組成物の硫酸灰分が、０．８質量％以下である請求項６３に記載の方法。
【請求項６５】
低リン、低硫黄及び低硫酸灰分の潤滑油組成物の硫酸灰分が、０．５質量％以下である請求項６４に記載の方法。
【請求項６６】
低リン、低硫黄及び低硫酸灰分の潤滑油組成物の硫酸灰分が、０．４５質量％以下である請求項６５に記載の方法。
【請求項６７】
一種以上のフィッシャー・トロプシュ合成基油の量が、潤滑油組成物の全質量に基づき６０質量％又はそれ以上である請求項５６に記載の方法。
【請求項６８】
一種以上のフィッシャー・トロプシュ合成基油の量が、潤滑油組成物の全質量に基づき７０質量％又はそれ以上である請求項６７に記載の方法。